(57)【特許請求の範囲】
【請求項１】
交流電源から供給される交流電圧の交流ラインのライブ側に一端が接続される少なくとも一つのコンデンサを有する第一のコンデンサ群と、
前記交流ラインのニュートラル側に一端が接続される少なくとも一つのコンデンサを有する第二のコンデンサ群と、
前記第一のコンデンサ群の他端が接続される少なくとも一つの第一のグランドパターン群と、
前記第二のコンデンサ群の他端が接続される少なくとも一つの第二のグランドパターン群と、
前記第一のコンデンサ群と前記第二のコンデンサ群が実装され、前記第一のグランドパターン群と前記第二のグランドパターン群が形成される基板と、
を備える電源装置であって、
前記交流電源のアースが接続されるフレームグランドと、
前記第一のグランドパターン群を前記フレームグランドに接続する少なくとも一つの第一の接続手段と、
前記第二のグランドパターン群を前記フレームグランドに接続する少なくとも一つの第二の接続手段と、
前記交流電源から入力される交流電圧を整流するダイオードブリッジと、
前記ダイオードブリッジによって整流された電圧を平滑する平滑コンデンサと、
前記平滑コンデンサの正極端子ラインに一端が接続される少なくとも一つの第三のコンデンサ群と、
前記平滑コンデンサの負極端子ラインに一端が接続される少なくとも一つの第四のコンデンサ群と、
前記第三のコンデンサ群の他端が接続される少なくとも一つの第三のグランドパターン群と、
前記第四のコンデンサ群の他端が接続される少なくとも一つの第四のグランドパターン群と、
を備え、
前記第一のグランドパターン群と前記第二のグランドパターン群は、前記基板上で電気的に接続されておらず、
前記第三のグランドパターン群と前記第四のグランドパターン群は、前記基板上で電気的に接続されていないことを特徴とする電源装置。
【請求項２】
前記第一のグランドパターン群と前記第三のグランドパターン群は、前記基板上で電気的に接続され、
前記第二のグランドパターン群と前記第四のグランドパターン群は、前記基板上で電気的に接続されていることを特徴とする請求項１に記載の電源装置。
【請求項３】
前記第三のグランドパターン群は、前記第一の接続手段によって前記フレームグランドに接続され、
前記第四のグランドパターン群は、前記第二の接続手段によって前記フレームグランドに接続されていることを特徴とする請求項１又は請求項２に記載の電源装置。
【請求項４】
前記第一のグランドパターン群と前記第四のグランドパターン群は、前記基板上で電気的に接続され、
前記第二のグランドパターン群と前記第三のグランドパターン群は、前記基板上で電気的に接続されていることを特徴とする請求項１に記載の電源装置。
【請求項５】
前記第三のグランドパターン群は、前記第二の接続手段によって前記フレームグランドに接続され、
前記第四のグランドパターン群は、前記第一の接続手段によって前記フレームグランドに接続されていることを特徴とする請求項１又は請求項４に記載の電源装置。
【請求項６】
前記第一のコンデンサ群と前記第二のコンデンサ群と前記第三のコンデンサ群と前記第四のコンデンサ群の少なくとも一つは、二つ以上のコンデンサを有し、
前記二つ以上のコンデンサの他端は、前記基板上で一つのグランドパターン群に接続されていることを特徴とする請求項１から請求項５のいずれか１項に記載の電源装置。
【請求項７】
前記第一のコンデンサ群と前記第二のコンデンサ群と前記第三のコンデンサ群と前記第四のコンデンサ群の少なくとも一つは、二つ以上のコンデンサを有し、
前記二つ以上のコンデンサを有するコンデンサ群が接続されているグランドパターンを前記フレームグランドに接続する接続手段は、前記二つ以上の各コンデンサの間に配置されていることを特徴とする請求項６に記載の電源装置。
【請求項８】
前記第一のグランドパターン群と前記第二のグランドパターン群と前記第三のグランドパターン群と前記第四のグランドパターン群は、各々のグランドパターン群が前記基板上に独立して形成され、前記基板上で接続されていないことを特徴とする請求項１に記載の電源装置。
【請求項９】
前記第三のグランドパターン群を前記フレームグランドに接続する少なくとも一つの第三の接続手段と、
前記第四のグランドパターン群を前記フレームグランドに接続する少なくとも一つの第四の接続手段と、
を備えることを特徴とする請求項８に記載の電源装置。
【請求項１０】
前記コンデンサは、セラミックコンデンサであることを特徴とする請求項１から請求項９のいずれか１項に記載の電源装置。
【請求項１１】
記録材に画像形成を行う画像形成手段と、
請求項１から請求項１０のいずれか１項に記載の電源装置と、
を備えることを特徴とする画像形成装置。
【発明の詳細な説明】
【技術分野】
【０００１】
本発明は、電源装置及び画像形成装置に関し、特に、交流ラインからグランドに対してコンデンサを接続している電源装置に関する。
【背景技術】
【０００２】
従来、商用交流電源を入力とした電源装置では、ＡＣ／ＤＣコンバータ等のスイッチングノイズやダイオードブリッジの逆回復起因による雑音端子ノイズを抑制する手段として、フィルタを有する構成となっている。フィルタとしては、コモンモードチョークコイルとＸコンデンサ（アクロス・ザ・ライン・コンデンサ）及びＹコンデンサ（ライン・バイパス・コンデンサ）からなるノイズフィルタが一般的である。例えば、図７に示す従来の電源装置では、商用交流電源１００と整流手段であるダイオードブリッジ２０１との間に第一のノイズフィルタ２１０を有している。更に、図７の電源装置では、ダイオードブリッジ２０１と絶縁トランス２０３との間に第二のノイズフィルタ２２０を有している（例えば、特許文献１参照）。商用交流電源１００を入力とした電源装置１１０における雑音端子ノイズには、ＦＥＴ２０４が動作した際のノイズと、ダイオードブリッジ２０１の逆回復起因により発生するノイズがある。これらのノイズは、第一のノイズフィルタ２１０と第二のノイズフィルタ２２０によって抑制される。ノイズフィルタを構成しているＹコンデンサ２１３、２１４、２２３、２２４は、交流の各ラインに配置され、基板１２１上に設けられたアースターミナル１２３等によって、フレームグランド１２２に接続される構成が一般的である。フレームグランド１２２は、商用交流電源１００のアースに接続されている。尚、図７（ａ）、図７（ｂ）の詳細な説明は後述する。
【先行技術文献】
【特許文献】
【０００３】
【特許文献１】特公平０５−２００８号公報
【発明の概要】
【発明が解決しようとする課題】
【０００４】
しかし、図７（ｂ）に示すように、例えばＹコンデンサ２１３、２１４のグランドパターン１２７が基板１２１上で接続されており、グランドパターン１２７がアースターミナル１２３までの間に共通のインピーダンス１２８を有している場合がある。図７（ｂ）では、Ｙコンデンサ２１３、２１４のグランドパターン１２７の接続点Ａからアースターミナル１２３までのパターンがＹコンデンサ２１３、２１４の共通のインピーダンス１２８となる。
【０００５】
インピーダンス１２８のＡ点の電位は、Ｙコンデンサ２１３、２１４のどちらかが抑制、吸収したノイズによって変化する。即ち、例えばＹコンデンサ２１３で抑制、吸収されたノイズによってＡ点の電位が変化するので、そのときＹコンデンサ２１４でノイズが抑制、吸収されていなくても、Ｙコンデンサ２１４にとってのグランド電位となるＡ点の電位が変化してしまうことになる。このため、Ｙコンデンサ２１４にもノイズが発生し、Ａ点の電位に合わせて交流ラインの電位を一定にしようと働く。結果的には、交流ラインの電位を揺らすことに繋がり、雑音端子ノイズが増加する。即ち、Ｙコンデンサ２１３、２１４のノイズ抑制効果が十分に発揮できなくなる。
【０００６】
本発明は、このような状況のもとでなされたもので、ノイズフィルタとして配置されているコンデンサによるノイズの抑制効果を十分に発揮させることを目的とする。
【課題を解決するための手段】
【０００７】
上述した課題を解決するために、本発明は、以下の構成を備える。
【０００８】
（１）交流電源から供給される交流電圧の交流ラインのライブ側に一端が接続される少なくとも一つのコンデンサを有する第一のコンデンサ群と、前記交流ラインのニュートラル側に一端が接続される少なくとも一つのコンデンサを有する第二のコンデンサ群と、前記第一のコンデンサ群の他端が接続される少なくとも一つの第一のグランドパターン群と、前記第二のコンデンサ群の他端が接続される少なくとも一つの第二のグランドパターン群と、前記第一のコンデンサ群と前記第二のコンデンサ群が実装され、前記第一のグランドパターン群と前記第二のグランドパターン群が形成される基板と、を備える電源装置であって、前記交流電源のアースが接続されるフレームグランドと、前記第一のグランドパターン群を前記フレームグランドに接続する少なくとも一つの第一の接続手段と、前記第二のグランドパターン群を前記フレームグランドに接続する少なくとも一つの第二の接続手段と、前記交流電源から入力される交流電圧を整流するダイオードブリッジと、前記ダイオードブリッジによって整流された電圧を平滑する平滑コンデンサと、前記平滑コンデンサの正極端子ラインに一端が接続される少なくとも一つの第三のコンデンサ群と、前記平滑コンデンサの負極端子ラインに一端が接続される少なくとも一つの第四のコンデンサ群と、前記第三のコンデンサ群の他端が接続される少なくとも一つの第三のグランドパターン群と、前記第四のコンデンサ群の他端が接続される少なくとも一つの第四のグランドパターン群と、を備え、前記第一のグランドパターン群と前記第二のグランドパターン群は、前記基板上で電気的に接続されておらず、前記第三のグランドパターン群と前記第四のグランドパターン群は、前記基板上で電気的に接続されていないことを特徴とする電源装置。
【０００９】
（２）記録材に画像形成を行う画像形成手段と、前記（１）に記載の電源装置と、を備えることを特徴とする画像形成装置。
【発明の効果】
【００１１】
本発明によれば、ノイズフィルタとして配置されているコンデンサによるノイズの抑制効果を十分に発揮させることができる。
【図面の簡単な説明】
【００１２】
【図１】実施例１の電源装置の回路図
【図２】実施例１の電源装置の基板のパターンを示す図
【図３】実施例２の電源装置の基板のパターンを示す図
【図４】実施例３の電源装置の基板のパターンを示す図
【図５】実施例４の電源装置の基板のパターンを示す図
【図６】実施例５の画像形成装置の構成を示す図
【図７】従来例の電源装置の回路図、電源装置の基板のパターンを示す図
【発明を実施するための形態】
【００１３】
本発明の具体的な構成について、図面を参照しながら実施例に基づき説明する。尚、以下に示す実施例は一例であって、この発明の技術的範囲をそれらのみに限定する趣旨のものではない。
【００１４】
［電源装置の構成］
後述する実施例との比較のために、図７（ａ）を用いて、従来の電源装置１１０の回路構成について説明する。電源装置１１０には、インレット１２０が設けられており、インレット１２０を介して電源装置１１０に商用交流電源１００の交流電圧が供給される。電源装置１１０に供給された商用交流電源１００の交流電圧は、第一のノイズフィルタ２１０を介してダイオードブリッジ２０１によって、正弦波形からマイナス側の波形がプラス側に折り返された脈流波形へ整流される。ダイオードブリッジ２０１によって整流された脈流波形の出力は、第二のノイズフィルタ２２０を介して一次平滑コンデンサ２０２によって平滑され、正弦波形のピーク値とほぼ等しい直流電圧となる。一次平滑コンデンサ２０２で平滑された直流電圧は、正極端子より絶縁トランス２０３に入力され、更に、スイッチング素子である電界効果トランジスタ（以下、ＦＥＴとする）２０４を介して負極端子へと帰還する。絶縁トランス２０３の二次側には、整流ダイオード２０５と平滑コンデンサ２０６からなる二次側整流回路が存在し、二次側整流回路で所定の電圧に平滑されて、電源装置１１０内又は電源装置１１０外の負荷２０７に出力される。
【００１５】
ここで、第一のノイズフィルタ２１０は、アクロス・ザ・ライン・コンデンサ（以下、Ｘコンデンサという）２１１とコモンモードチョークコイル２１２とライン・バイパス・コンデンサ（以下、Ｙコンデンサという）２１３、２１４から構成されている。尚、第一のグランドパターン群であるグランドパターン１２７にはＹコンデンサ２１３が接続され、少なくとも一つのコンデンサを有する第一のコンデンサ群を構成している。また、第二のグランドパターン群であるグランドパターン１２７にはＹコンデンサ２１４が接続され、少なくとも一つのコンデンサを有する第二のコンデンサ群を構成している。図７（ｂ）では、第一のグランドパターン群と第二のグランドパターン群は、一つのグランドパターン１２７となっている。
【００１６】
Ｙコンデンサ２１３は、例えばセラミックコンデンサであり、一端が交流ラインのライブ側（以下、ライブをＬＩＶＥとする）に接続され、他端がグランドに接続されている。Ｙコンデンサ２１４は、一端が交流ラインのニュートラル側（以下、ニュートラルをＮＥＵＴＲＡＬとする）に接続され、他端がグランドに接続されている。第一のノイズフィルタ２１０は、電源装置１１０のＦＥＴ２０４が動作した際のスイッチングノイズや、ダイオードブリッジ２０１の逆回復起因による雑音端子ノイズを抑制するために配置されている。第二のノイズフィルタ２２０は、Ｘコンデンサ２２１とコモンモードチョークコイル２２２とＹコンデンサ２２３、２２４から構成されている。Ｙコンデンサ２２３は、一端が一次平滑コンデンサ２０２の正極端子ラインに接続され、他端がグランドに接続されている。Ｙコンデンサ２２４は、一端が一次平滑コンデンサ２０２の負極端子ラインに接続され、他端がグランドに接続されている。第二のノイズフィルタ２２０は、電源装置１１０のＦＥＴ２０４が動作した際のスイッチングノイズを抑制するために配置されている。Ｙコンデンサ２１３、２１４、２２３、２２４は、それぞれ一端が交流ラインに接続され、他端がグランドに接続されている。Ｙコンデンサ２１３、２１４、２２３、２２４は、電源装置１１０で発生した雑音端子ノイズを抑制する。このとき、雑音端子ノイズは、グランドパターン１２７を介してフレームグランド１２２にバイパスされる。フレームグランド１２２は、電源装置１１０の基板１２１を固定する保持フレームであり、板金で構成される。フレームグランド１２２は板金であるため、基板１２１上に配線されるパターンよりもインピーダンスが十分に低い。
【００１７】
［電源装置の基板のパターン］
図７（ａ）に示す電源装置１１０の回路を実装するための基板１２１のパターン図を図７（ｂ）に示す。尚、図７（ｂ）の基板１２１上で、黒の太い実線で描いた部分が電気的に接続されている、例えば銅箔のパターンの部分を示し、白い部分は電気的に絶縁された例えばレジストの部分を示す。インレット１２０を介して電源装置１１０に入力される商用交流電源１００の交流ラインのＬＩＶＥ側に一端が接続されているＹコンデンサ２１３は、他端がグランドパターン１２７に接続されている。Ｙコンデンサ２１３は、第一の接続手段であるアースターミナル１２３を介してフレームグランド１２２に接続されている。商用交流電源１００の交流ラインのＮＥＵＴＲＡＬ側に一端が接続されているＹコンデンサ２１４は、他端がグランドパターン１２７に接続されている。Ｙコンデンサ２１４も、アースターミナル１２３を介してフレームグランド１２２に接続されている。
【００１８】
第一の交流ラインであるＬＩＶＥ側に接続されているＹコンデンサ２１３と、第二の交流ラインであるＮＥＵＴＲＡＬ側に接続されているＹコンデンサ２１４は、共通のグランドパターン１２７に接続されている。グランドパターン１２７には、アースターミナル１２３が設けられている。アースターミナル１２３は、フレームグランド１２２に接続されている。フレームグランド１２２は、インレット１２０のアース１２０ａを介して商用交流電源１００のアースに接続されている。
【実施例１】
【００１９】
［電源装置の回路構成］
図１を用いて実施例１の電源装置１１０の回路構成について説明する。尚、図７（ａ）で説明した構成と同じ構成には同じ符号を付し、説明を省略する。本実施例の電源装置１１０は、第一のノイズフィルタ２１０のみを有する構成である。第一のノイズフィルタ２１０は、図７（ａ）の第一のノイズフィルタ２１０と同様に、Ｘコンデンサ２１１とコモンモードチョークコイル２１２とＹコンデンサ２１３、２１４から構成されている。尚、第一のグランドパターン群であるグランドパターン１２７にはＹコンデンサ２１３が接続され、少なくとも一つのコンデンサを有する第一のコンデンサ群を構成している。また、第二のグランドパターン群であるグランドパターン１３１にはＹコンデンサ２１４が接続され、少なくとも一つのコンデンサを有する第二のコンデンサ群を構成している。本実施例では、第一のグランドパターン群であるグランドパターン１２７と、第二のグランドパターン群であるグランドパターン１３１は、基板１２１上で電気的に接続されていない。
【００２０】
第一のノイズフィルタ２１０は、電源装置１１０のＦＥＴ２０４が動作した際のスイッチングノイズや、ダイオードブリッジ２０１の逆回復起因による雑音端子ノイズを抑制するために配置されている。本実施例で着目するＹコンデンサ２１３、２１４は、それぞれ一端がＡＣラインに接続され、他端がグランドに接続されている。Ｙコンデンサ２１３、２１４は、電源装置１１０で発生した雑音端子ノイズを抑制する。このとき、雑音端子ノイズは、グランドパターン１２７、１３１を介してフレームグランド１２２にバイパスされる。
【００２１】
フレームグランド１２２は、電源装置１１０の基板１２１を固定する保持フレームであり、板金で構成される。フレームグランド１２２が板金であるため、基板１２１上に配線されるパターンよりもインピーダンスが十分に低い。例えば、本実施例のように、基板１２１の二箇所のアースターミナル１２３、１２４がフレームグランド１２２に接続され、フレームグランド１２２が商用交流電源１００のアースに接続されている場合を考える。この場合、アースターミナル１２３からフレームグランド１２２へバイパスされたノイズは、十分にインピーダンスの低い保持フレームを介して商用交流電源１００のアースに流れ込む。このため、アースターミナル１２３からフレームグランド１２２へバイパスされたノイズが、もう一方のアースターミナル１２４とフレームグランド１２２の接続部へ回り込むことはない。逆の場合も同様である。
【００２２】
［電源装置の基板のパターン］
本実施例の基板のパターン図を図２に示す。尚、図７（ｂ）で説明した構成と同じ構成には同じ符号を付し、説明を省略する。インレット１２０を介して電源装置１１０に入力される商用交流電源１００の交流ラインのＬＩＶＥ側に一端が接続されているＹコンデンサ２１３は、他端がグランドパターン１２７に接続されている。Ｙコンデンサ２１３は、アースターミナル１２３を介してフレームグランド１２２に接続されている。商用交流電源１００の交流ラインのＮＥＵＴＲＡＬ側に一端が接続されているＹコンデンサ２１４は、他端がグランドパターン１３１に接続されている。Ｙコンデンサ２１４は、第二の接続手段であるアースターミナル１２４を介してフレームグランド１２２に接続されている。
【００２３】
第一のＡＣラインであるＬＩＶＥ側に接続されているＹコンデンサ２１３のグランドパターン１２７と、第二のＡＣラインであるＮＥＵＴＲＡＬ側に接続されているＹコンデンサ２１４のグランドパターン１３１は、基板１２１上で電気的に分離されている。そして、Ｙコンデンサ２１３、２１４は、商用交流電源１００のアースに接続されるフレームグランド１２２に、異なるアースターミナル１２３、１２４を介して接続されている。このような構成とすることで、第一の交流ラインに接続されているＹコンデンサ２１３と、第二の交流ラインに接続されているＹコンデンサ２１４の間には、共通のインピーダンスがなくなる。そうすると、Ｙコンデンサ２１３によって吸収されたノイズは、アースターミナル１２３を経由してフレームグランド１２２にバイパスされ、フレームグランド１２２から商用交流電源１００のアースに帰還する。また、Ｙコンデンサ２１４によって吸収されたノイズは、アースターミナル１２４を経由してフレームグランド１２２にバイパスされ、フレームグランド１２２から商用交流電源１００のアースに帰還する。
【００２４】
以上のように、本実施例では、Ｙコンデンサ２１３、２１４が共通のインピーダンスを有することなく、フレームグランド１２２、商用交流電源１００のアースにバイパスできる構成を有している。これにより、互いのノイズ抑制、吸収によるＹコンデンサ２１３、２１４のグランド電位の変化を防止することができ、雑音端子ノイズの抑制効果を十分に発揮することができる。以上、本実施例によれば、ノイズフィルタとして配置されているコンデンサによるノイズの抑制効果を十分に発揮させることができる。
【実施例２】
【００２５】
［電源装置の回路構成］
実施例２の電源装置について説明する。本実施例は、実施例１に対し、回路構成が異なる。本実施例では、ダイオードブリッジ２０１の後段に、第二のノイズフィルタ２２０が接続される。そのため、本実施例の電源装置１１０は、図７（ａ）で説明した回路図と同様の回路図となるが、基板１２１のパターン図は図７（ｂ）とは異なるパターン図となる。第二のノイズフィルタ２２０は、Ｘコンデンサ２２１とコモンモードチョークコイル２２２とＹコンデンサ２２３、２２４から構成される。Ｙコンデンサ２２３は、一端が一次平滑コンデンサ２０２の正極端子ラインに接続され、他端がグランドに接続されている。Ｙコンデンサ２２４は、一端が一次平滑コンデンサ２０２の負極端子ラインに接続され、他端がグランドに接続されている。尚、本実施例では、第三のグランドパターン群であるグランドパターン１２７（後述する図３参照）にはＹコンデンサ２２３が接続され、少なくとも一つのコンデンサを有する第三のコンデンサ群を構成している。また、本実施例では、第四のグランドパターン群であるグランドパターン１３１（後述する図３参照）にはＹコンデンサ２２４が接続され、少なくとも一つのコンデンサを有する第四のコンデンサ群を構成している。尚、実施例１、図７（ａ）で説明した構成と同じ構成には同じ符号を付し、説明を省略する。
【００２６】
［電源装置の基板のパターン］
本実施例の基板のパターン図を図３に示す。商用交流電源１００のＬＩＶＥ側に接続されるＹコンデンサ２１３と、一次平滑コンデンサ２０２の正極端子ラインに接続されるＹコンデンサ２２３は、それぞれ基板１２１上のグランドパターン１２７に接続されている。Ｙコンデンサ２１３、２２３は、グランドパターン１２７を介してアースターミナル１２３でフレームグランド１２２に接続される。商用交流電源１００のＮＥＵＴＲＡＬ側に接続されるＹコンデンサ２１４と、一次平滑コンデンサ２０２の負極端子ラインに接続されるＹコンデンサ２２４は、基板１２１上（基板上）のグランドパターン１３１に接続されている。Ｙコンデンサ２１４、２２４は、グランドパターン１３１を介してアースターミナル１２４でフレームグランド１２２に接続される。尚、本実施例では、Ｙコンデンサ２１３とＹコンデンサ２２３がグランドパターン１２７に接続され、Ｙコンデンサ２１４とＹコンデンサ２２４がグランドパターン１３１に接続されている。しかし、Ｙコンデンサ２１３とＹコンデンサ２２４がグランドパターン１２７に接続され、Ｙコンデンサ２１４とＹコンデンサ２２３がグランドパターン１３１に接続される構成でもよい。
【００２７】
このようなパターンとすることで、Ｙコンデンサ２１３、２２３と、Ｙコンデンサ２１４、２２４の間には、共通のインピーダンスがなくなる。そうすると、Ｙコンデンサ２１３、２２３によって吸収されたノイズは、アースターミナル１２３を介してフレームグランド１２２にバイパスされ、フレームグランド１２２から商用交流電源１００のアースに帰還する。また、Ｙコンデンサ２１４、２２４によって吸収されたノイズは、アースターミナル１２４を介してフレームグランド１２２にバイパスされ、フレームグランド１２２から商用交流電源１００のアースに帰還する。
【００２８】
以上のように、本実施例では、Ｙコンデンサ２１３及びＹコンデンサ２２３と、Ｙコンデンサ２１４及びＹコンデンサ２２４とが、共通のインピーダンスを有していない。更に、これらのコンデンサで吸収、抑制したノイズを、フレームグランド１２２、商用交流電源１００のアースにバイパスできる構成とする。これにより、互いのノイズ抑制、吸収によるＹコンデンサ２１３、２１４、２２３、２２４のグランド電位の変化を防止することができ、雑音端子ノイズの抑制効果を十分に発揮することができる。以上、本実施例によれば、ノイズフィルタとして配置されているコンデンサによるノイズの抑制効果を十分に発揮させることができる。
【実施例３】
【００２９】
［電源装置の基板のパターン］
実施例３の基板のパターン図を図４に示す。本実施例は実施例２に対し、アースターミナル１２３、１２４の配置位置が異なる。尚、実施例２で説明した構成と同じ構成には同じ符号を付し、説明を省略する。実施例２では、Ｙコンデンサ２１３及びＹコンデンサ２２３と、Ｙコンデンサ２１４及びＹコンデンサ２２４との間で、共通のインピーダンスを有していない構成となっている（図３参照）。更に、図３の構成では、コンデンサで吸収、抑制したノイズを、フレームグランド１２２、商用交流電源１００のアースにバイパスできる構成となっている。ここで、Ｙコンデンサ２１３、２２３には、共通のインピーダンス１２９が存在している。この場合、交流ラインでＹコンデンサ２１３、２２３とＹコンデンサ２１４、２２４を電気的に分離することはできる。しかし、同じ交流ラインに存在するＹコンデンサの一方、例えばＹコンデンサ２１３のノイズ抑制、吸収動作が共通のインピーダンスのＢ点電位を変化させ、もう一方のＹコンデンサ２２３の動作に影響を与えるおそれがある。その結果、交流ラインの電位を揺らし、雑音端子ノイズが増加するおそれがある。Ｙコンデンサ２１４、２２４についても同様に、共通のインピーダンス１３０が存在し、Ｃ点電位が変化するおそれがある。
【００３０】
本実施例では、図４に示すように、アースターミナル１２３、１２４の位置を変更することで、上述した課題を解決することができる。図４は、同じ交流ラインに接続されているＹコンデンサ、例えばＹコンデンサ２１３とＹコンデンサ２２３の間に、アースターミナル１２３を配置する構成となっている。同様に、Ｙコンデンサ２１４とＹコンデンサ２２４の間に、アースターミナル１２４を配置する構成となっている。尚、本実施例では、同じＡＣライン上に２つのＹコンデンサが接続されている構成について説明したが、Ｙコンデンサが３以上接続されていてもよい。例えば、第三のノイズフィルタ、第四のノイズフィルタ・・・が接続されている場合であってもよい。この場合、同じＡＣライン上の隣り合うＹコンデンサの間に、それぞれアースターミナルを配置し、隣り合うＹコンデンサを、電気的に分離すればよい。
【００３１】
このような構成とすることで、同じ交流ラインに存在し、基板１２１上のグランドパターン１２７を介して接続されているＹコンデンサ２１３、２２３は、共通のインピーダンスを有することがなくなる。このため、同じ交流ラインに存在し、基板１２１上のグランドパターン１２７を介して接続されるＹコンデンサについて、互いのノイズ抑制、吸収によるグランド電位の変化を防止することができる。これにより、Ｙコンデンサが雑音端子ノイズの抑制効果を十分に発揮することができる。Ｙコンデンサ２１４、２２４についても同様である。以上、本実施例によれば、ノイズフィルタとして配置されているコンデンサによるノイズの抑制効果を十分に発揮させることができる。
【実施例４】
【００３２】
［電源装置の基板のパターン］
実施例４の基板のパターン図を図５に示す。本実施例は、実施例３で説明した構成に対し、Ｙコンデンサ２１３、２２３、２１４、２２４の基板１２１上のグランドの分離方法が異なる。尚、実施例２で説明した構成と同じ構成には同じ符号を付し、説明を省略する。
【００３３】
実施例３では、Ｙコンデンサ２１３、２２３、２１４、２２４同士が、共通のインピーダンス１２８（図７（ｂ）参照）、１２９、１３０（図３参照）を有しないように、それぞれ次のような構成としている。即ち、交流ライン毎にＹコンデンサ２１３、２２３、２１４、２２４の基板１２１上のグランドパターン１２７、１３１を電気的に分離している。更に、実施例３では、同じ交流ライン上に２つ以上のＹコンデンサ、例えば、Ｙコンデンサ２１３、２２３が存在する場合には、Ｙコンデンサ２１３とＹコンデンサ２２３の間にアースターミナル１２３を設置している。このような構成とすることで、Ｙコンデンサ同士が共通のインピーダンスを有しない構成となる。
【００３４】
本実施例では、Ｙコンデンサ２１３に対しては、Ｙコンデンサ２１３が接続されるグランドパターン１２７に第一の接続手段であるアースターミナル１２３を配置する。Ｙコンデンサ２２３に対しては、Ｙコンデンサ２２３が接続されるグランドパターン１５７に第三の接続手段であるアースターミナル１２５を配置する。Ｙコンデンサ２１４に対しては、Ｙコンデンサ２１４が接続されるグランドパターン１３１に第二の接続手段であるアースターミナル１２４を設置する。Ｙコンデンサ２２４に対しては、Ｙコンデンサ２２４が接続されるグランドパターン１５９に第四の接続手段であるアースターミナル１２６を配置する。即ち、本実施例は、複数のＹコンデンサについて、各々のＹコンデンサに対応するアースターミナルが独立して配置されている構成である。このように、Ｙコンデンサ２１３、２２３、２１４、２２４毎にアースターミナル１２３、１２５、１２４、１２６を設けることで、確実に基板１２１上のグランドパターンが分離される。そして、より互いのノイズ抑制、吸収によるグランド電位の変化を防止することができ、雑音端子ノイズの抑制効果を十分に発揮することができる。以上、本実施例によれば、ノイズフィルタとして配置されているコンデンサによるノイズの抑制効果を十分に発揮させることができる。
【実施例５】
【００３５】
実施例１〜４で説明した電源装置は、例えば画像形成装置の低圧電源、即ちコントローラ（制御部）やモータ等の駆動部へ電力を供給する電源として適用可能である。以下に、実施例１〜４の電源装置が適用される画像形成装置の構成を説明する。
【００３６】
［画像形成装置の構成］
画像形成装置の一例として、レーザビームプリンタを例にあげて説明する。図６に電子写真方式のプリンタの一例であるレーザビームプリンタの概略構成を示す。レーザビームプリンタ３００は、静電潜像が形成される像担持体としての感光ドラム３１１、感光ドラム３１１を一様に帯電する帯電部３１７（帯電手段）、感光ドラム３１１に形成された静電潜像をトナーで現像する現像部３１２（現像手段）を備えている。そして、感光ドラム３１１に現像されたトナー像をカセット３１６から供給された記録材としてのシート（不図示）に転写部３１８（転写手段）によって転写して、シートに転写したトナー像を定着器３１４で定着してトレイ３１５に排出する。この感光ドラム３１１、帯電部３１７、現像部３１２、転写部３１８が画像形成部である。また、レーザビームプリンタ３００は、実施例１〜４で説明した電源装置４００を備えている。尚、実施例１〜４の電源装置４００を適用可能な画像形成装置は、図６に例示したものに限定されず、例えば複数の画像形成部を備える画像形成装置であってもよい。更に、感光ドラム３１１上のトナー像を中間転写ベルトに転写する一次転写部と、中間転写ベルト上のトナー像をシートに転写する二次転写部を備える画像形成装置であってもよい。
【００３７】
レーザビームプリンタ３００は、画像形成部による画像形成動作や、シートの搬送動作を制御するコントローラ３２０を備えており、実施例１〜４に記載の電源装置４００は、例えばコントローラ３２０に電力を供給する。また、実施例１〜４に記載の電源装置４００は、感光ドラム３１１を回転するため又はシートを搬送する各種ローラ等を駆動するためのモータ等の駆動部に電力を供給する。即ち、実施例１〜４の負荷２０７は、コントローラ３２０や駆動部に相当する。
【００３８】
本実施例の画像形成装置の電源装置４００では、ノイズフィルタを構成するＹコンデンサについて、交流ラインのＬＩＶＥ側に接続されるＹコンデンサと、交流ラインのＮＥＵＴＲＡＬ側に接続されるＹコンデンサを電気的に分離している。更に、交流ラインに２以上のＹコンデンサが接続される実施例３、４の電源装置では、互いに隣り合うＹコンデンサを電気的に分離している。具体的には、実施例３の電源装置では、隣り合うＹコンデンサの間にアースターミナルを配置している。また、実施例４の電源装置では、複数のＹコンデンサに対して、それぞれアースターミナルを設けている。これにより、同じ交流ラインに２以上のＹコンデンサが接続される場合でも、各々のＹコンデンサを電気的に分離している。これにより、Ｙコンデンサ同士のノイズ抑制、吸収によるグランド電位の変化を防止することができ、各Ｙコンデンサの雑音端子ノイズの抑制効果を十分に発揮することができる。以上、本実施例によれば、ノイズフィルタとして配置されているコンデンサによるノイズの抑制効果を十分に発揮させることができる。
【符号の説明】
【００３９】
１２１    基板
１２７、１３１    グランドパターン
２１３、２１４    Ｙコンデンサ
【図１】
0006562719.tif 000002
【図２】
0006562719.tif 000003
【図３】
0006562719.tif 000004
【図４】
0006562719.tif 000005
【図５】
0006562719.tif 000006
【図６】
0006562719.tif 000007
【図７】
0006562719.tif 000008